(57)【要約】【課題】  階層的に選択される複数の車載機器の操作を、少ない操作回数で簡単に行うことができる車両用情報表示装置を提供する。【解決手段】  本発明は、複数の車載機器の操作及び情報表示を統合して行うことができる車両用情報表示装置(１)であって、各車載機器の操作画面が、各車載機器ごとに階層的に表示されるディスプレイ(２)と、操作する車載機器を選択するために車載機器ごとに割り当てられたシステム切替スイッチ（１２）と、システム切替スイッチが操作されたとき、操作されたシステム切替スイッチに割り当てられた車載機器の、予め記憶されている所定の階層の操作画面である記憶画面を選択する操作画面選択手段（３０）と、この操作画面選択手段によって選択された操作画面をディスプレイに表示させる画面表示手段(３２)と、現在選択されている車載機器の最上層の操作画面を表示させるトップメニュースイッチ（１４）と、を有することを特徴としている。【選択図】      図２
2006096247.tif 000002
【特許請求の範囲】
【請求項１】
複数の車載機器の操作及び情報表示を統合して行うことができる車両用情報表示装置であって、
上記各車載機器の操作画面が、各車載機器ごとに階層的に表示されるディスプレイと、
操作する車載機器を選択するために車載機器ごとに割り当てられたシステム切替スイッチと、
上記システム切替スイッチが操作されたとき、操作されたシステム切替スイッチに割り当てられた車載機器の、予め記憶されている所定の階層の操作画面である記憶画面を選択する操作画面選択手段と、
この操作画面選択手段によって選択された操作画面を上記ディスプレイに表示させる画面表示手段と、
現在選択されている車載機器の最上層の操作画面を表示させるトップメニュースイッチと、
を有することを特徴とする車両用情報表示装置。
【請求項２】
上記操作画面選択手段が、上記システム切替スイッチによって選択された車載機器の操作画面のうち、最後に操作された階層の操作画面を選択する請求項１記載の車両用情報表示装置。
【請求項３】
上記操作画面選択手段が、表示されている操作画面に対する操作の終了を判断する操作終了判断部を有し、上記操作画面選択手段は、上記操作終了判断部によって上記最後に操作された階層の操作画面に対する操作が終了していると判断されている場合には、予め設定された登録操作画面を選択する請求項２記載の車両用情報表示装置。
【請求項４】
さらに、現在表示されている操作画面の直前に表示されていた操作画面を表示させる戻しスイッチを有する請求項１乃至３の何れか１項に記載の車両用情報表示装置。
【請求項５】
上記操作画面選択手段は、上記システム切替スイッチが１回操作されると、記憶画面を選択し、そのシステム切替スイッチがもう１回続けて操作されると、上記記憶画面の１つ上の階層の操作画面を選択する請求項１乃至４の何れか１項に記載の車両用情報表示装置。
【請求項６】
上記操作画面選択手段は、上記システム切替スイッチが操作されたとき、そのシステム切替スイッチが前回操作された時から所定時間以上経過している場合には、上記システム切替スイッチによって選択された車載機器の操作画面のうち予め設定された登録操作画面を選択する請求項１乃至５の何れか１項に記載の車両用情報表示装置。
【請求項７】
上記操作画面選択手段は、特定のシステム切替スイッチが操作された場合には、そのシステム切替スイッチに割り当てられた車載機器の最上層の操作画面を常に選択する請求項１乃至６の何れか１項に記載の車両用情報表示装置。
【発明の詳細な説明】
【技術分野】
【０００１】
本発明は、車両用情報表示装置に係わり、特に、複数の車載機器の操作及び情報表示を統合して行うことができる車両用情報表示装置に関する。
【背景技術】
【０００２】
近年、自動車等の車両には、カーナビゲーション装置、交通情報表示装置、空調装置、オーディオ装置、Ｅメール及び電話、インターネット接続機器等、種々の機器が搭載されるようになっている。これらの各機器を別々に車載し、各機器について専用の操作ボタン、ツマミ等を設けると、車室内の限られた空間に多数の機器の多数の操作ボタン等を配置することが必要になるので、各操作ボタン等は小型化し、それにより各機器の操作がし難いだけでなく、安全性の面からも改良が求められていた。また、システムの増加に加え、システムに与えられる機能の増加に伴ってこの問題は一層顕著になっていた。
【０００３】
この問題を解決するために、昨今では、システムを統合化するとともに液晶画面上に起動されたシステムに対応した操作スイッチを表示させ、それを操作することで様々な機能を実行させるようにした集中システムが提案されている。これによって、空間の有効利用が図れるため大きな画面の確保が可能になり、この画面上に必要なシステムのスイッチだけを配置して表示できるため機能を犠牲にすることなくスイッチの大型化が図れ、よってドライバーの確認作業を軽減し高い安全性を提供できるようになってきた。
【０００４】
【特許文献１】特開２００３−２４１７８４号公報
【発明の開示】
【発明が解決しようとする課題】
【０００５】
しかしながら、乗員に対して有効な情報や、使い勝手の良い機能を追加しようとした場合に新たな課題が発見された。すなわち、タッチパネル方式にした場合、確かに起動中のシステムに対するスイッチを大きな画面上にレイアウトすれば良いためスイッチの大きさもある程度確保した上で配置できるが、システムが変わっても操作する部分は同じであることからシステム毎にスイッチの配置を覚えなくてはならず覚え難いという問題があり、またハード的なスイッチと違って触感等も得られないためスイッチが増えると一層スイッチの位置を覚えることが困難になってドライバーに確認作業を結局強いることになってしまうという問題があり結局機能を増やすことが困難になっていた。
そこで、本件発明者らは、この問題を解決するためにシステムを統合化したものにおいて、システム間に渡って同じ操作とするコンセプトを見出した。すなわち、システムを切替えてもスイッチの配列感を同じにする、すなわち配列の感じを同じにするとともに同じような機能をするスイッチを同じような位置に置くことでシステムを切替えても同じような位置にスイッチがあるためドライバーはスイッチ配列を覚えやすく、ドライバーの確認作業を軽減させ、安全性を向上させることができると考えたものである。さらに、本件では、このように操作感を統一した場合に、機能が少ないシステムに、機能が多いシステムのスイッチ配列が引きずられてしまって、機能の多い分をカバーするために階層が今まで以上に深くなってしまうという課題が生じた。言い換えると、スイッチのある位置は感覚で理解できるようになったものの、階層が深いため必要な機能のスイッチを表示させるのに非常に面倒になってしまうという新たな課題に直面したものであって、それがゆえに統合システムであるため必然的に頻繁に生じるシステム間移動の度に最上階のＴＯＰ画面から操作したい機能のスイッチがある階層まで何度も操作して降りていかないといけなくなり、システムを切替えることが非常に苦痛な状態になってしまうという問題を抱えた物である。
【０００６】
また、特開２００３−２４１７８４号公報のように、よく使う機能を上位画面になるようにしていくと、システム毎に統一されてない画面配置となってしまうという問題が生まれてドライバーが操作配置を結局覚えなければならず、ドライバーに確認作業を強いることになり、安全性の面からも好ましいものではなかった。
【０００７】
従って、本件発明は、タッチパネル化され、かつ統合化されたシステムを持つ昨今の情報表示装置において、スイッチの操作時に確認行動という不安全行動を伴うことなく操作できるようにするとともに、頻繁に生じるシステムの切替え操作時に生じる必要な機能を探し出すという面倒な行動を極力排他できるようにした利便性の高い情報提供装置を提供せんとするものである。
【課題を解決するための手段】
【０００８】
上記の目的を達成するために、請求項１に記載された本発明は、複数の車載機器の操作及び情報表示を統合して行うことができる車両用情報表示装置であって、各車載機器の操作画面が、各車載機器ごとに階層的に表示されるディスプレイと、操作する車載機器を選択するために車載機器ごとに割り当てられたシステム切替スイッチと、システム切替スイッチが操作されたとき、操作されたシステム切替スイッチに割り当てられた車載機器の、予め記憶されている所定の階層の操作画面である記憶画面を選択する操作画面選択手段と、この操作画面選択手段によって選択された操作画面をディスプレイに表示させる画面表示手段と、現在選択されている車載機器の最上層の操作画面を表示させるトップメニュースイッチと、を有することを特徴としている。
【０００９】
このように構成された本発明においては、車載機器ごとに割り当てられたシステム切替スイッチが操作されると、操作画面選択手段によって選択された予め記憶されている所定の階層の操作画面がディスプレイに表示される。また、トップメニュースイッチを操作することにより、現在選択されている車載機器の最上層の操作画面を表示させることができる。
このように構成された本発明によれば、システム切替スイッチが操作されたとき、操作されたシステム切替スイッチに割り当てられた車載機器の最上層の操作画面ではなく、予め記憶されている所定の階層の操作画面がディスプレイに表示されるので、最上層の操作画面から次の階層の操作画面を順次表示させることなく、目的の操作画面を素早く表示させることができる。また、使用者が、操作画面選択手段によって選択された所定の階層の操作画面の操作を意図していなかった場合には、トップメニュースイッチによって１回の操作で最上層の操作画面に移動することができるので、操作画面選択手段による選択が適当でなかった場合にも簡単に目的の操作画面を表示させることができる。
【００１０】
また、請求項２に記載された本発明は、請求項１に記載の車両用情報表示装置であって、操作画面選択手段が、システム切替スイッチによって選択された車載機器の操作画面のうち、最後に操作された階層の操作画面を選択する。
このように構成された本発明においては、操作画面選択手段が、システム切替スイッチによって選択された車載機器の操作画面のうち、最後に操作された階層の操作画面を選択するので、使用者が、ある操作画面の操作を中断して、他の車載機器の操作を行った場合でも、システム切替スイッチを１回操作するだけで、中断した操作の続きの操作を行うことができる。
【００１１】
さらに、請求項３に記載された本発明は、請求項２に記載の車両用情報表示装置であって、操作画面選択手段が、表示されている操作画面に対する操作の終了を判断する操作終了判断部を有し、操作画面選択手段は、操作終了判断部によって最後に操作された階層の操作画面に対する操作が終了していると判断されている場合には、予め設定された登録操作画面を選択する。
このように構成された本発明においては、操作終了判断部が表示されている操作画面に対する操作の終了を判断するので、操作画面選択手段が、操作を終了し、続けて操作されることのない操作画面を選択することがない。
【００１２】
また、請求項４に記載された本発明は、請求項１乃至３の何れか１項に記載の車両用情報表示装置であって、さらに、現在表示されている操作画面の直前に表示されていた操作画面を表示させる戻しスイッチを有する。
さらに、請求項５に記載された本発明は、請求項１乃至４の何れか１項に記載の車両用情報表示装置であって、操作画面選択手段は、システム切替スイッチが１回操作されると、記憶画面を選択し、そのシステム切替スイッチがもう１回続けて操作されると、記憶画面の１つ上の階層の操作画面を選択する。
【００１３】
また、請求項６に記載された本発明は、請求項１乃至５の何れか１項に記載の車両用情報表示装置であって、操作画面選択手段は、システム切替スイッチが操作されたとき、そのシステム切替スイッチが前回操作された時から所定時間以上経過している場合には、システム切替スイッチによって選択された車載機器の操作画面のうち予め設定された登録操作画面を選択する。
このように構成された本発明においては、操作画面選択手段は、システム切替スイッチが操作されたとき、そのシステム切替スイッチが前回操作された時から所定時間以上経過している場合には、登録操作画面を表示するので、操作画面選択手段が、操作を中断してから長時間経過した操作画面を選択することがない。
【００１４】
さらに、請求項７に記載された本発明は、請求項１乃至６の何れか１項に記載の車両用情報表示装置であって、操作画面選択手段は、特定のシステム切替スイッチが操作された場合には、そのシステム切替スイッチに割り当てられた車載機器の最上層の操作画面を常に選択する。
【発明の効果】
【００１５】
本発明の車両用情報表示装置によれば、階層的に選択される複数の車載機器の操作を、少ない操作回数で簡単に行うことができる。
【発明を実施するための最良の形態】
【００１６】
次に、添付図面を参照して、本発明の実施形態による車両用情報表示装置を説明する。
まず、図１乃至１３を参照して、本発明の実施形態による車両用情報表示装置を説明する。図１は、本発明の実施形態による車両用情報表示装置が搭載された車室内を示す図であり、図２は、本実施形態の車両用情報表示装置の概略ブロック図である。
【００１７】
図１及び図２に示すように、本発明の実施形態による車両用情報表示装置１は、ダッシュボード４の下部の、ハンドル６の左側に配置されたディスプレイであるメインモニター２と、ダッシュボード４の上部に配置されたサブディスプレイであるサブモニター８と、メインモニター２上のカーソルの位置を移動させる十字操作スイッチ９ａ〜９ｄと、各モニターの表示及び各車載機器の制御を行う統合処理装置１０と、を有する。この統合処理装置１０は、具体的には、各種インターフェイス、メモリ、ＣＰＵ等で構成されている。
【００１８】
本実施形態においては、メインモニター２はタッチパネル式のモニターであり、使用者がモニターの画面上に表示される操作ボタンに触れることで、各車載機器を操作することができるように構成されている。本実施形態においては、メインモニター２には、操作する車載機器を切替えるシステム切替スイッチ１２、トップメニュースイッチ１４、戻しスイッチ１６等が表示され、各車載機器の操作メニューを選択できるように構成されている。また、メインモニター２に表示される操作画面には各操作メニューを指示するカーソルが表示され、十字操作スイッチ９ａ〜９ｄを操作することによってカーソルを逐次移動させ、操作メニューを選択することができるように構成されている。図２に示すように、本実施形態の車両用情報表示装置１には、カーナビゲーション装置１８、オーディオ装置２０、空調装置２２、Ｅメール送受信装置２４、自動車電話２６、運転情報検索装置２８、及びインターネット接続装置２９が接続され、これらの車載機器を統合して操作し、情報を表示できるようになっている。
【００１９】
サブモニター８には、車室内の温度、オーディオの音量、音源等の使用頻度の高い機器に関する概略的な情報が表示されるように構成されている。
十字操作スイッチは、円周上に配置された上方向、下方向、左方向、右方向のカーソル移動を指示する４つのボタン９ａ乃至９ｄから構成されている。また、この十字操作スイッチの中央には、中央操作スイッチ９ｅが設けられている。十字操作スイッチ９ａ乃至９ｄ及び中央操作スイッチ９ｅの構成及び作用の詳細は、後述する。
【００２０】
統合処理装置１０は、カーナビゲーション装置１８等の各車載機器との間で信号の入出力を行うことによって、これらの機器を操作し、これらの機器から入力された信号に従って情報をメインモニター２及びサブモニター８に表示させるように構成されている。統合処理装置１０には、操作画面選択手段３０が内蔵されており、この操作画面選択手段３０は、メインモニター２に表示されるシステム切替スイッチ１２、トップメニュースイッチ１４、戻しスイッチ１６等の操作により、メインモニター２に表示する画面を選択するように構成されている。また、操作画面選択手段３０は、表示されている操作画面に対する操作の終了を判断する操作終了判断部３０ａを内蔵している。さらに、統合処理装置１０に内蔵された、画面表示手段３２は、操作画面選択手段３０によって選択された画面をメインモニター２に表示するように構成されている。
【００２１】
さらに、統合処理装置１０には、十字操作スイッチ９ａ乃至９ｄによる、メインモニター２上のカーソル位置を制御するカーソル制御手段３４と、十字操作スイッチによって指定されたカーソルのジャンプ移動先が禁止されている際にその旨を警告する警告手段３６が内蔵されている。カーソル制御手段３４及び警告手段３６の詳細に関しては、後述する。
【００２２】
次に、図３乃至６を参照して、本発明の実施形態の車両用情報表示装置１の操作画面を説明する。図３は、本実施形態の車両用情報表示装置１のメインモニター２に表示される画面の一例を示す。
【００２３】
図３は、車載機器の１つであるカーナビゲーション装置１８の最上層の操作画面を示している。図３に示すように、操作画面の最上部には、横１列に７つのシステム切替スイッチ１２が表示されている。このシステム切替スイッチ１２は、常に画面の最上部に表示されており、操作すべき車載機器をいつでも切替えられるようになっている。システム切替スイッチ１２は、左から順に、カーナビゲーション装置１８、運転情報検索装置２８、空調装置２２、オーディオ装置２０、Ｅメール送受信装置２４及び自動車電話２６、及びインターネット接続装置２９に割り当てられており、これらの車載機器を使用するときには対応するシステム切替スイッチ１２に触れて車載機器を選択する。また、操作画面の最下部には、トップメニュースイッチ１４及び戻しスイッチ１６が表示されている。このトップメニュースイッチ１４及び戻しスイッチ１６も、操作画面の下部に常に表示されており、トップメニュースイッチ１４は、現在選択されている車載機器の最上層の操作画面を表示させる場合に、戻しスイッチ１６は、現在表示されている操作画面の直前に表示されていた操作画面を表示させる場合に夫々使用する。
【００２４】
図４（ａ）乃至（ｇ）は、各車載機器の最上層の操作画面の一例を示している。なお、図４では、トップメニュースイッチ１４及び戻しスイッチ１６の図示は省略されている。
図４（ａ）は、カーナビゲーション装置１８の最上層の操作画面を示している。図４（ａ）に示すように、この画面では、「地図を見る」、「登録した場所」、「周辺施設」、「検索メニュー」等のメニューが表示される。表示されている各メニューのボタンに触れると、選択されたメニューの中に用意されている種々の機能の操作画面（図示せず）がさらに表示され、階層的に順次表示されるメニューの中から、希望するメニューを順次選択していくことで、希望する機能を起動させることができる。
【００２５】
図４（ｂ）は、運転情報検索装置２８の最上層の操作画面であり、この操作画面では、「渋滞情報」、「道路規制情報」、「交通取締り情報」等のメニューの中から機能を選択することができるようになっている。
図４（ｃ）は、空調装置２２の最上層の操作画面であり、この操作画面では、空調装置の動作モードの選択、風量調整、風向調整等のメニューの中から機能を選択することができるようになっている。
図４（ｄ）は、Ｅメール送受信装置２４及び自動車電話２６の最上層の操作画面であり、この操作画面では、「着信メール」、「着信・発信履歴」、「送信メール」、「リダイヤル」、「メール作成」、「アドレス帳」、「設定」、「電話をかける」等のメニューの中から機能を選択することができるようになっている。
【００２６】
図４（ｅ）は、オーディオ装置２０の最上層の操作画面であり、この操作画面では、「ＯＮ／ＯＦＦ」、「システム選曲」、「音量」、「各種設定」等のメニューの中から機能を選択することができるようになっている。
図４（ｆ）は、インターネット接続装置２９の最上層の操作画面であり、この操作画面では、「インターネット」、「ニュース」、「天気」等のメニューの中から機能を選択することができるようになっている。
図４（ｇ）は、車両用情報表示装置１自身のシステム設定を行うための操作画面である。
次に、図５及び６を参照して、操作画面の階層構造の一例を説明する。図５に示すように、例えば、オーディオ装置２０の最上層のメニューの中から、「システム選曲」メニューを選択すると、次の階層の操作画面では、「ＣＤ」、「ＭＤ」、「ＲＡＤＩＯ」のメニューが表示される。次に、このメニューの中から「ＲＡＤＩＯ」を選択すると、次の階層の操作画面として、「ＡＭ」、「ＦＭ１」、「ＦＭ２」、「交通情報」のメニューが表示される。さらに、このメニューの中から「ＡＭ」を選択すると、次の階層の操作画面として、受信する周波数を選択するための操作画面が表示される。
【００２７】
また、図６は、カーナビゲーション装置１８の操作画面の階層構造の一例である。例えば、カーナビゲーション装置１８の最上層のメニューの中から、「検索メニュー」を選択すると、「住所検索」、「電話番号検索」、「名称検索」等のメニューが、次の階層の操作画面として表示される。さらに、この中から「名称検索」を選択すると、名称を入力するためのスクリーンキーボードを表示した操作画面が表示され、目的地の検索を行うことができる。
例えば、まず、オーディオ装置２０を「システム選曲」→「ＲＡＤＩＯ」→「ＡＭ」の順に操作して、ある放送局の番組を聞きながら、カーナビゲーション装置１８で目的地の検索を行い、その後、受信する放送局を変更する場合の操作を考える。従来の階層的にメニューが表示される車両用情報表示装置では、使用する車載機器を切替えた場合、その機器の最上層のメニューが表示されるので、この場合には使用者は、オーディオ装置２０を再び選択した後、「システム選曲」→「ＲＡＤＩＯ」→「ＡＭ」の操作を繰り返してラジオ放送の受信周波数を変更する必要があった。本発明の実施形態の車両用情報表示装置１では、後述するように、この操作を１回で行うことができる。
【００２８】
次に、図７乃至１０を参照して、本発明の実施形態の車両用情報表示装置１をメインモニター２のタッチパネルによって操作する場合の作用を説明する。
まず、図７を参照して、本発明の実施形態の車両用情報表示装置１の作用の概略を説明する。まず、図７（ａ）に示すカーナビゲーション装置１８の最上層の操作画面から「検索メニュー」→「名称検索」を選択して図７（ｂ）の操作画面を表示させ、スクリーンキーボードから目的地の名称を入力する。この入力の途中で、運転者が、車室内が暑いと感じ、左から３番目のシステム切替スイッチ１２を操作すると、図７（ｃ）に示す空調装置２２の最上層の操作画面が表示される。図７（ｃ）の操作画面において空調装置２２の温度設定を下げた運転者は、再びカーナビゲーション装置１８を選択するために、カーナビゲーション装置１８に割り当てられたシステム切替スイッチ１２を操作する。統合処理装置１０の操作画面選択手段３０は、システム切替スイッチ１２が操作されると、それに対応した車載装置の操作画面の中から運転者が操作を希望するであろう階層の操作画面を選択し、それをメインモニター２に表示させる。
【００２９】
この例では、システム切替スイッチ１２を操作すると、操作画面選択手段３０は、先ほど入力途中であったスクリーンキーボードの操作画面（図７（ｄ））を選択し、表示させるので、運転者は続けて目的地の名称を入力することができる。また、操作画面選択手段３０によって選択された操作画面が、運転者が意図した操作画面とは異なる場合には、操作画面の下部に常に表示されているトップメニュースイッチ１４によって、カーナビゲーション装置１８の操作画面の最上層にワンタッチで移動し、そこから希望する階層の操作画面に移動することができる。このように、操作されたシステム切替スイッチ１２に対応した車載装置の操作画面の中から適当な階層の操作画面を選択する操作画面選択手段３０と、万一、操作画面選択手段３０による選択が的中しなかった場合にワンタッチでその車載装置の操作画面の最上層に移動することができるトップメニュースイッチ１４の組み合わせにより、運転者は、希望する操作画面を素早く表示させることができる。一方、図７（ｄ）の操作画面において、戻しスイッチ１６を操作すると、その直前に表示されていた図７（ｃ）の操作画面が表示される。
【００３０】
次に、図７（ｅ）に示すように、カーナビゲーション装置１８によって目的地の検索を行った運転者が、図７（ｆ）に示すように、システム切替スイッチ１２を操作して空調装置２２の設定を行い、再び、システム切替スイッチ１２によってカーナビゲーション装置１８を選択した場合には、カーナビゲーション装置１８の最上層の操作画面が表示される。
【００３１】
次に、図８乃至１０を参照して、操作画面選択手段３０による操作画面の選択を具体的に説明する。図８は、システム切替スイッチ１２が操作されたときの統合処理装置１０における処理を示すフローチャートであり、図９は図８のステップＳ３における処理を示すフローチャートであり、図１０は図８のステップＳ７における処理を示すフローチャートである。
まず、図８のステップＳ１において、システム切替スイッチ１２が操作されたか否かが判断される。システム切替スイッチ１２の操作がない場合には、リターンに進みそのまま処理を終了する。システム切替スイッチ１２が操作されている場合には、ステップＳ２に進み、システム切替スイッチ１２が操作される直前に表示されていた操作画面である最終画面を記憶する必要があるか否かが判断される。このステップＳ２における判断の詳細については、図９に示すフローチャートに基づいて後述する。
【００３２】
ステップＳ２において、最終画面を記憶する必要があると判断された場合には、ステップＳ３で最終画面が記憶画面としてメモリ（図示せず）に記憶され、ステップＳ４に進む。一方、ステップＳ２において、最終画面を記憶する必要がないと判断された場合には、そのままステップＳ４に進む。ステップＳ４では、操作されたシステム切替スイッチ１２に対応した車載機器から、現在の設定状況等の情報を読み込む。ステップＳ５では、操作画面選択手段３０によってメインモニター２に表示する操作画面が選択される。ステップＳ５における選択の詳細については、図１０に示すフローチャートに基づいて後述する。次に、ステップＳ６では、ステップＳ５において選択された操作画面が、画面表示手段３２によって表示され、操作に応じて車載機器が起動され、又はその設定が変更される。次いで、リターンに進み処理を終了する。
【００３３】
次に、図９を参照して、図８のステップＳ２における判断のフローを説明する。まず、ステップＳ２１において、システム切替スイッチ１２が操作される直前に表示されていた操作画面が空調装置２２のものであるか否かが判断される。直前に表示されていた操作画面が空調装置２２のものである場合には、空調装置２２の操作画面は最上層のみであるのでステップＳ２５へ進み、最終画面の記憶不要と判断して処理を終了する。この場合には、図８のステップＳ２からステップＳ４に処理が進む。なお、本実施形態においては、操作画面が最上層のみである空調装置２２の操作画面について、最終画面を記憶しないように構成されているが、最上層以外の操作画面の使用頻度が特に低い車載機器については、操作画面が複数の階層を有する場合であっても最終画面を記憶しないように構成することもできる。
【００３４】
一方、システム切替スイッチ１２が操作される直前の操作画面が空調装置２２以外のものである場合には、ステップＳ２２へ進み、システム切替スイッチ１２が操作される直前に表示されていた最終画面の属性が判断される。メインモニター２に表示される各操作画面には、予め属性が設定されている。本実施形態においては、各操作画面の属性が、図４に示すように定められている。即ち、図４各図において、「Ａ」と表示されている操作ボタンを操作することによって表示される操作画面がＡ属性であり、「Ｂ」と表示されている操作ボタンを操作することによって表示される操作画面がＢ属性である。Ａ属性の操作画面は、操作すべき項目が比較的多く、操作が途中で中断される可能性がある操作画面であり、Ｂ属性の操作画面は、操作すべき項目が比較的少なく、操作が途中で中断される可能性が殆どない操作画面である。直前に表示されていた操作画面がＢ属性のものである場合にはステップＳ２６へ進み、最終画面の記憶不要と判断して処理を終了する。この場合には、図８のステップＳ２からステップＳ４に処理が進む。
【００３５】
一方、直前に表示されていた操作画面がＡ属性のものである場合にはステップＳ２３へ進む。ステップＳ２３において、操作画面選択手段３０の操作終了判断部３０ａは、操作画面の記憶が必要か否かを判断する。本実施形態においては、カーナビゲーション装置１８の目的地設定画面において目的地設定が終了している場合、検索画面で検索が完了している場合、メール作成画面でメールの作成が完了している場合、通話の画面で通話が完了している場合等には、ステップＳ２６へ進み、最終画面の記憶不要と判断して処理を終了する。この場合には、図８のステップＳ２からステップＳ４に処理が進む。
【００３６】
一方、ステップＳ２３において、操作画面の記憶が必要と判断された場合には、ステップＳ２４へ進み、最終画面の記憶が必要と判断して処理を終了する。この場合には、図８のステップＳ２からステップＳ３に処理が進む。図７で説明した例においては、図７（ｂ）の操作画面において、空調装置２２のシステム切替スイッチ１２が操作されると、図７（ｂ）の操作画面は、空調装置２２のものではないので、図９のステップＳ２１からステップＳ２２へ進む。次いで、図７（ｂ）の操作画面は、Ａ属性のものであるのでステップＳ２３へ進む。さらに、図７（ｂ）の操作画面では、名称検索が終了していないので、ステップＳ２３の記憶不要条件には該当せず、ステップＳ２４へ進み、最終画面の記憶が必要と判断される。これにより、図８のステップＳ３へ進んで、図７（ｂ）の操作画面がメモリに記憶される。一方、図７（ｅ）の操作画面の後、空調装置２２のシステム切替スイッチ１２が操作された場合には、検索が終了しているので、図９のステップＳ２３において、最終画面の記憶は不要と判断される。これにより、図７（ｅ）の操作画面はメモリに記憶されずに図８のステップＳ４へ進む。
【００３７】
次に、図１０を参照して、図８のステップＳ５における初期表示画面の選択を説明する。まず、ステップＳ５１において、操作されたシステム切替スイッチ１２に割り当てられた車載機器に関する最終画面が、メモリに記憶されているか否かが判断される。例えば、図７（ｃ）の操作画面において、カーナビゲーション装置１８のシステム切替スイッチ１２が操作された場合には、図７（ｂ）の操作画面がメモリに記憶されているので、記憶データありと判断される。一方、図７（ｆ）の操作画面において、カーナビゲーション装置１８のシステム切替スイッチ１２が操作された場合には、図７（ｅ）の操作画面はメモリに記憶されていないので、記憶データなしと判断される。
ステップＳ５１において記憶データなしと判断された場合には、ステップＳ５４へ進み、ステップＳ５４では、操作されたシステム切替スイッチ１２に割り当てられている車載機器の最上層の操作画面が初期画面として選択され、処理を終了する。即ち、図７（ｆ）の操作画面において、カーナビゲーション装置１８のシステム切替スイッチ１２が操作された場合には、カーナビゲーション装置１８の最上層の操作画面が初期画面として選択される。
【００３８】
一方、ステップＳ５１において記憶データありと判断された場合には、ステップＳ５２へ進み、ステップＳ５２では、メモリに記憶された最終画面が不採用条件に適合するか否かが判断される。本実施形態においては、カーナビゲーション装置１８の目的地の入力において、入力を中断した時から１２時間以上経過した場合、Ｅメール送受信装置２４のＥメールの作成において、作成を中断した時から１２時間以上経過した場合等を不採用条件に適合としている。即ち、図７（ｃ）の操作画面において、カーナビゲーション装置１８のシステム切替スイッチ１２が操作された場合、図７（ｂ）の操作画面において入力を中断した後１２時間以上経過していれば、不採用条件に適合と判断される。
【００３９】
ステップＳ５２において、メモリに記憶された最終画面が不採用条件に適合すると判断された場合には、ステップＳ５５に進み、メモリに記憶されている最終画面のデータはメモリから消去される。次いで、ステップＳ５４に進み、操作されたシステム切替スイッチ１２に割り当てられている車載機器の最上層の操作画面が初期画面として選択され、処理を終了する。
一方、ステップＳ５２において、メモリに記憶された最終画面が不採用条件に適合しないと判断された場合には、ステップＳ５３に進み、メモリに記憶された最終画面が初期画面として選択され、処理を終了する。
【００４０】
本実施形態の車両用情報表示装置によれば、使用者が操作するであろう操作画面が、操作画面選択手段によって選択されるので、操作画面が多数の階層をなしている場合にも、少ない操作回数で希望する操作を行うことができる。
また、本実施形態の車両用情報表示装置は、使用者が最後に使用した操作画面を操作画面選択手段によって選択するので、使用者が頻繁に使用する操作画面を設定操作により特に登録しなくても、操作画面選択手段は、使用者が頻繁に使用する操作画面を選択することができる。
本実施形態の車両用情報表示装置によれば、操作が終了したと考えられる操作画面を操作終了判断部が判断するので、続けて操作する必要のない操作画面が、操作画面選択手段によって選択されることがない。
【００４１】
本実施形態では、ステップＳ５１において記憶データなしと判断された場合、及びステップＳ５２においてメモリに記憶された最終画面が不採用条件に適合すると判断された場合には、初期画面として最上層の操作画面が選択されているが、これらの場合において、使用者が予め設定した任意の階層の画面が登録操作画面として選択されるように構成しても良い。
また、本実施形態においては、システム切替スイッチが１回操作されると、予め記憶されている所定の階層の操作画面が選択されるように構成されているが、そのシステム切替スイッチがもう１回続けて操作された場合に、１つ上の階層の操作画面が選択されるように構成することもできる。
また、本実施形態においては、システム切替スイッチが操作されると、操作画面選択手段によって選択された画面が表示されるように構成されているが、特定のシステム切替スイッチについては、そのシステム切替スイッチに割り当てられた車載機器の最上層の操作画面が常に選択されるように構成することもできる。
【００４２】
次に、図１１乃至１３を参照して、本発明の実施形態による車両用情報表示装置１に備えられている十字操作スイッチ９ａ〜９ｄによるカーソルの制御を説明する。図１１は、ハンドル６に設けられた十字操作スイッチ９ａ〜９ｄの拡大図を示す。十字操作スイッチ９ａ〜９ｄは、ハンドル６の外周近くに配置され、ハンドルを握る運転者の左手の親指で容易に操作することができるように位置決めされている。十字操作スイッチは、上下左右方向を指示する４つのボタン９ａ〜９ｄから構成され、各ボタンは中心角９０゜の概ね扇形の形状を有している。また、十字操作スイッチ９ａ〜９ｄの中央には、中央操作スイッチ９ｅが配置されている。
【００４３】
十字操作スイッチの４つのボタン９ａ〜９ｄの裏側には、夫々電気接点（図示せず）が配置されており、各ボタン９ａ〜９ｄを押すことによって、その裏側に配置された電気接点が導通する。各電気接点が導通することにより、統合処理装置１０は、そのボタンが押されたことを認識する。同様に、中央操作スイッチ９ｅの裏側にも電気接点が配置されている。統合処理装置１０に内蔵されたカーソル制御手段３４は、十字操作スイッチの各ボタン９ａ〜９ｄが押されると、メインモニター２に表示されているカーソルを、押されたボタンが指示する方向へ移動させる。
【００４４】
例えば、図３に示す操作画面において、右方向を指示する十字操作スイッチのボタン９ｄを押すと、カーソルは、カーナビゲーション装置１８のシステム切替スイッチ１２から、運転情報検索装置２８のシステム切替スイッチ１２に移動する。さらに、十字操作スイッチのボタン９ｄをもう１回押すと、カーソルは空調装置２０のシステム切替スイッチ１２に移動する。また、図３に示す操作画面において、下方向を指示する十字操作スイッチのボタン９ｂを押すと、カーソルは、カーナビゲーション装置１８の操作画面の「地図を見る」の操作メニューに移動する。使用者が、この「地図を見る」の操作メニューを選択する場合には、中央操作スイッチ９ｅを押すことによって、この操作メニューが選択され、図３に示す操作画面の下の階層の操作画面が表示される。このように、十字操作スイッチ９ａ〜９ｄにより各操作メニューにカーソルを移動させ、それを中央操作スイッチ９ｅにより選択することによって、十字操作スイッチを使用して車両用情報表示装置１を操作することができる。
【００４５】
また、各十字操作スイッチ９ａ〜９ｄ及び中央操作スイッチ９ｅは、順次カーソルを移動させて操作メニューを選択するのではなく、特定の操作をすることによって、所定の操作メニューにジャンプ移動することができる。特定の操作に対応したジャンプ移動先は、予めデフォルト値として設定されている。本実施形態においては、カーソルがシステム切替スイッチ１２にある状態で、十字操作スイッチ９ａを１回押すと空調装置２２の風量設定メニューにジャンプ移動し、十字操作スイッチ９ｂをダブルクリックの要領で２回押すとオーディオ装置２０の最上層の操作画面にジャンプ移動し、中央操作スイッチ９ｅをダブルクリックの要領で２回押すとオーディオ装置２０の音量設定メニューにジャンプ移動するようにデフォルト設定されている。また、使用者は、特定の操作に対応するジャンプ移動先を希望に応じて個別に設定することができる。
【００４６】
図１２は、使用者がジャンプ移動先を個別設定するための操作画面を示す。この操作画面は、右端のシステム切替スイッチ１２を操作することによって表示されるシステム設定画面（図４（ｇ））の「十字ボタンの個別設定」メニューを選択すると、カーソル制御手段３４に内蔵されたジャンプ移動先設定部３４ａによって表示される。図１２の操作画面において、左側の列には各十字操作スイッチの操作が表示され、右側の列には、その操作に対応したジャンプ移動先の操作メニューが表示されている。図１２の例では、十字操作スイッチ９ａを１回押すと風量設定メニューにジャンプ移動し、十字操作スイッチ９ｂをダブルクリックの要領で２回押すとオーディオ装置２０の最上層の操作画面にジャンプ移動し、中央操作スイッチ９ｅをダブルクリックの要領で２回押した場合にはジャンプ移動しないように設定されている。これらのジャンプ移動先を変更する場合には、変更するジャンプ移動先の表示にカーソルを移動させ、中央操作スイッチ９ｅを押すと設定可能なジャンプ移動先の候補が表示されるので、選択するジャンプ移動先にカーソルを移動させて中央操作スイッチ９ｅで選択する。
【００４７】
また、本実施形態においては、ジャンプ移動先は、ハンドル６の舵角、及び車速に応じて変更されるように構成されている。図１３は、ジャンプ移動先変更処理のフローチャートを示す。まず、ステップＳ１０１において、統合処理装置１１０は、ハンドル６の舵角を検出する舵角センサ（図示せず）及び車速を検出する車速センサ（図示せず）から、舵角及び車速のデータを取り込む。また、統合処理装置１０は、使用者がジャンプ移動先の個別設定を行っているかを検索する。次に、ステップＳ１０２において、ジャンプ移動先の個別設定が行われているか否かが判断される。個別設定が行われている場合には、ステップＳ１０２に進み、行われていない場合にはステップＳ１０３に進む。
【００４８】
ステップＳ１０３乃至Ｓ１０５では、ステップＳ１０１で取り込まれた舵角及び車速のデータに基づいて、カーソル制御手段３４の舵角判断部３４ｂ及び車速判断部３４ｃが、車両の走行状態を場合分けする。舵角が３０゜未満で、車速が２０ｋｍ／ｈ未満の場合にはステップＳ１０７に進み、舵角が３０゜未満で、車速が２０ｋｍ／ｈ以上の場合にはステップＳ１０８に進み、舵角が３０゜以上で、車速が６０ｋｍ／ｈ未満の場合にはステップＳ１０９に進み、舵角が３０゜以上で、車速が６０ｋｍ／ｈ以上の場合にはステップＳ１１０に進む。
【００４９】
舵角が３０゜未満で、車速が２０ｋｍ／ｈ未満の場合のステップＳ１０７では、十字操作スイッチ９ａのジャンプ移動先が温度設定メニュー、十字操作スイッチ９ｂの２回操作のジャンプ移動先が風向設定メニュー、中央操作スイッチ９ｅの２回操作のジャンプ移動先が音量設定メニューに設定される。また、舵角が３０゜未満で、車速が２０ｋｍ／ｈ以上の場合のステップＳ１０８では、十字操作スイッチ９ａのジャンプ移動先が温度設定メニュー、十字操作スイッチ９ｂの２回操作のジャンプ移動先が風向設定メニュー、中央操作スイッチ９ｅの２回操作のジャンプ移動先が音量設定メニューに設定される。さらに、舵角が３０゜以上で、車速が６０ｋｍ／ｈ未満の場合のステップＳ１０９では、十字操作スイッチ９ａのジャンプ移動、及び十字操作スイッチ９ｂの２回操作のジャンプ移動が禁止され、中央操作スイッチ９ｅの２回操作のジャンプ移動先が音量設定メニューに設定される。また、舵角が３０゜以上で、車速が６０ｋｍ／ｈ以上の場合のステップＳ１１０では、十字操作スイッチ９ａのジャンプ移動、及び十字操作スイッチ９ｂの２回操作のジャンプ移動が禁止され、中央操作スイッチ９ｅの２回操作のジャンプ移動先が音量設定メニューに設定される。さらに、ジャンプ移動先が個別設定されている場合のステップＳ１０６では、走行状態に関らず、個別設定されたとおりのジャンプ移動先が設定される。
【００５０】
ステップＳ１０６乃至Ｓ１１０の処理が終わると、ステップＳ１１１に進む。ステップＳ１１１では、十字操作スイッチ９ａ、十字操作スイッチ９ｂの２回操作、及び中央操作スイッチ９ｅの２回操作に対応するジャンプ移動先の各操作メニューに、その操作メニューがジャンプ移動先に設定されている旨を示すシンボルを表示する。ステップＳ１１２では、ステップＳ１１１でシンボルが表示された操作メニューに変更があったか否かが判断される。操作メニューに変更があった場合には、ステップＳ１１３に進み、変更された操作メニューが運転者に認識されやすいように、その操作メニューのシンボルを拡大するように表示を変化させ、ステップＳ１１４に進む。操作メニューに変更がなかった場合には、そのままステップＳ１１４に進む。
【００５１】
次いで、ステップＳ１１４では、十字操作スイッチ９ａの操作、十字操作スイッチ９ｂの２回操作、又は中央操作スイッチ９ｅの２回操作が行われたか否かが判断される。何れの操作スイッチも操作されなかった場合には、このフローチャートの１回の処理を終了する。何れかの操作スイッチが操作された場合には、ステップＳ１１５へ進む。ステップＳ１１５では、操作されたジャンプ移動が禁止されているか否かが判断される。例えば、舵角が３０゜以上、車速が６０ｋｍ／ｈ未満の状態で、十字操作スイッチ９ａが操作された場合には、この操作に対応するジャンプ移動先は禁止されているので、ステップＳ１１６に進む。また、舵角が３０゜未満、車速が２０ｋｍ／ｈ以上の状態で、十字操作スイッチ９ａが操作された場合には、この操作に対応するジャンプ移動先は禁止されていないので、ステップＳ１１７に進む。
【００５２】
ステップＳ１１６では、警告手段３６が、運転者の操作に対応したジャンプ移動先へのジャンプ移動が禁止されている旨をメインモニター２に表示して、このフローチャートの１回の処理を終了する。ステップＳ１１７では、カーソル制御手段３４が、運転者の操作に対応したジャンプ移動先へカーソルをジャンプ移動させて、このフローチャートの１回の処理を終了する。カーソル制御手段３４は、図１３に示す処理フローを逐次繰り返すことにより、走行状態に応じてカーソルのジャンプ移動先を変更する。
上述した本発明の実施形態においては、特定の操作メニューへのジャンプ移動を、舵角及び車速に応じて禁止するようにジャンプ移動先を変更していたが、舵角及び車速に応じてジャンプ移動先の操作メニューが異なる操作メニューに変化するように構成することもできる。
【００５３】
また、上述した本発明の実施形態においては、カーソルがシステム切替スイッチ上にあるとき、カーソルを移動させることができない上方を指示する十字操作スイッチが押された場合にジャンプ移動するように構成されていたが、カーソルを移動させることができない他の方向の十字操作スイッチによってジャンプ移動させるように構成することもできる。例えば、システム切替スイッチがメインモニターの左端に縦方向に並ぶように構成しておき、左方向を指定する十字操作スイッチが押されたときジャンプ移動させるように構成することもできる。
【００５４】
以上、本発明の好ましい実施形態を説明したが、上述した実施形態に種々の変更を加えることができる。
【図面の簡単な説明】
【００５５】
【図１】本発明の実施形態による車両用情報表示装置が搭載された車室内を示す図である。
【図２】本発明の実施形態の車両用情報表示装置の概略ブロック図である。
【図３】本発明の実施形態の車両用情報表示装置のメインモニターに表示される画面の一例を示す図である。
【図４】本発明の実施形態の車両用情報表示装置によって制御される各車載機器の最上層の操作画面の一例を示す図である。
【図５】本発明の実施形態による車両用情報表示装置の操作画面の階層構造の一例を説明する図である。
【図６】本発明の実施形態による車両用情報表示装置の操作画面の階層構造の一例を説明する図である。
【図７】本発明の実施形態による車両用情報表示装置の作用の概略を説明する図である。
【図８】システム切替スイッチが操作されたときの統合処理装置における処理を示すフローチャートである。
【図９】図８に示すフローチャートのステップＳ２における処理を示すフローチャートである。
【図１０】図８に示すフローチャートのステップＳ５における処理を示すフローチャートである。
【図１１】ハンドルに設けられた十字操作スイッチの拡大図である。
【図１２】使用者がジャンプ移動先を個別設定するための操作画面を示す。
【図１３】ジャンプ移動先変更処理のフローチャートを示す。
【符号の説明】
【００５６】
１      車両用情報表示装置
２      メインモニター
４      ダッシュボード
６      ハンドル
８      サブモニター
９ａ〜９ｄ  十字操作スイッチ
９ｅ    中央操作スイッチ
１０    統合処理装置
１２    システム切替スイッチ
１４    トップメニュースイッチ
１６    戻しスイッチ
１８    カーナビゲーション装置
２０    オーディオ装置
２２    空調装置
２４    Ｅメール送受信装置
２６    自動車電話
２８    運転情報検索装置
２９    インターネット接続装置
３０    操作画面選択手段
３０ａ  操作終了判断部
３２    画面表示手段
３４    カーソル制御手段
３４ａ  ジャンプ移動先設定部
３４ｂ  舵角判断部
３４ｃ  車速判断部
３６    警告手段
【図１】
2006096247.tif 000003
【図２】
2006096247.tif 000004
【図３】
2006096247.tif 000005
【図４】
2006096247.tif 000006
【図５】
2006096247.tif 000007
【図６】
2006096247.tif 000008
【図７】
2006096247.tif 000009
【図８】
2006096247.tif 000010
【図９】
2006096247.tif 000011
【図１０】
2006096247.tif 000012
【図１１】
2006096247.tif 000013
【図１２】
2006096247.tif 000014
【図１３】
2006096247.tif 000015